(57)【要約】【課題】現像装置内の現像剤のトナー濃度を精度よく検知することを可能とする構成を備える、現像装置および画像形成装置を提供する。【解決手段】トナーを含む現像剤が収容された筐体およびこの筐体内に配置されたスクリューを備える現像装置であって、スクリューは、回転軸１９ａと、回転軸１９ａの周りに螺旋状に配置され、回転軸１９ａが回転することによりトナーを上流側から下流側に搬送するスクリュー羽根１９ｂと、を含み、スクリュー羽根１９ｂは、非連続領域１９ｄを有し、連続領域１９ｄの回転軸１９ａの表面には、回転軸１９ａの軸方向に沿って、回転軸１９ａの半径方向に延びるパドル６０が設けら、パドル６０の半径方向の先端部側には、凹凸６１,６２が設けられている。【選択図】図４
2019197159.tif 000002
【特許請求の範囲】
【請求項１】
トナーを含む現像剤が収容された筐体および前記筐体内に配置されたスクリューを備える現像装置であって、
前記スクリューは、
回転軸と、
前記回転軸の周りに螺旋状に配置され、前記回転軸が回転することにより前記トナーを上流側から下流側に搬送するスクリュー羽根と、
を含み、
前記スクリュー羽根は、非連続領域を有し、
前記非連続領域の前記回転軸の表面には、前記回転軸の軸方向に沿って、前記回転軸の半径方向に延びるパドルが設けら、
前記パドルの半径方向の先端部側には、凹凸部が設けられている、現像装置。
【請求項２】
前記スクリューは、
前記筐体内に配置された撹拌スクリューおよび前記撹拌スクリューに並列に配置され、前記撹拌スクリューによって搬送された前記現像剤を受け取る供給スクリューを含み、
前記撹拌スクリューに、前記非連続領域および前記パドルが設けられている、請求項１に記載の現像装置。
【請求項３】
前記非連続領域および前記パドルは、下流側に設けられた前記トナーの受け取り領域に設けられている、請求項２に記載の現像装置。
【請求項４】
前記パドルは、前記筐体の内壁面に対して非接触となるように配置されている、請求項１から請求項３のいずれか１項に記載の現像装置。
【請求項５】
前記非連続領域から見て上流側に位置する前記スクリュー羽根と前記パドルとの間に隙間が設けられている、請求項１から請求項４のいずれか１項に記載の現像装置。
【請求項６】
前記非連続領域から見て下流側に位置する前記スクリュー羽根と前記パドルとの間に隙間が設けられている、請求項１から請求項４のいずれか１項に記載の現像装置。
【請求項７】
前記筐体の前記現像剤中の前記トナーの濃度を検知するトナー濃度検知センサーをさらに含み、
前記トナー濃度検知センサーはセンサーコイルを含み、
前記非連続領域の流さは、前記センサーコイルの長さよりも長く設けられている、請求項１から請求項６のいずれか１項に記載の現像装置。
【請求項８】
前記非連続領域の中心よりも前記トナー濃度検知センサーが上流側にある場合、前記非連続領域から見て上流側の前記スクリュー羽根と前記パドルとの隙間は、下流側の前記スクリュー羽根と前記パドルとの隙間よりも広く設けられている、請求項７に記載の現像装置。
【請求項９】
前記非連続領域の中心よりも前記トナー濃度検知センサーが下流側にある場合、前記非連続領域から見て下流側の前記スクリュー羽根と前記パドルとの隙間は、上流側の前記スクリュー羽根と前記パドルとの隙間よりも広く設けられている、請求項７に記載の現像装置。
【請求項１０】
前記トナー濃度検知センサーの中心と前記パドルの凹部の中心とが重なるように配置されている、請求項７から請求項９のいずれか１項に記載の現像装置。
【請求項１１】
前記パドルの凹部の底部は、前記現像剤の液面高さよりも前記筐体側に位置している、請求項１から請求項１０のいずれか１項に記載の現像装置。
【請求項１２】
前記パドルの半径方向の先端部側には、複数の前記凹凸部が設けられている、請求項１から請求項１１のいずれか１項に記載の現像装置。
【請求項１３】
前記パドルは、前記非連続領域の前記回転軸の表面に、複数設けられている、請求項１から請求項１２のいずれか１項に記載の現像装置。
【請求項１４】
感光体ドラムの上に形成された静電画像をトナー画像に現像する現像装置と、
前記感光体ドラムの形成されたトナー画像を中間転写体に転写する一次転写部と、
前記中間転写体に転写されたトナー画像を記録媒体に転写する二次転写部と、を備える画像形成装置であって、
前記現像装置は、請求項１から請求項１３のいずれか１項に記載の現像装置である、画像形成装置。
【発明の詳細な説明】
【技術分野】
【０００１】
本発明の現像装置および画像形成装置は、電子写真方式により画像を形成する現像装置および画像形成装置に関する。画像形成装置は、カラー、モノクロを問わず、デジタル複写機、ＦＡＸ、プリンタなどの電子写真装置、記録機器、表示装置などを含む。
【背景技術】
【０００２】
特開２０１０―２１０６９７号公報（特許文献１）には、現像装置および画像形成装置に関し、トナー濃度検知センサーの検知面に現像剤が滞留することによる誤検知を防止しつつ、撹拌動作時の検知面での嵩密度の差を低減することができる現像装置の構成が開示されている。
【先行技術文献】
【特許文献】
【０００３】
【特許文献１】特開２０１０―２１０６９７号公報
【発明の概要】
【発明が解決しようとする課題】
【０００４】
特許文献１は、トナー濃度検知センサーの検知を安定させるために、搬送スクリューの軸方向で検知面と対向する位置に、検知面を摺擦して現像剤を撹拌可能な検知面撹拌部材が設けられている、この検知面撹拌部材は、矩形波状に形成されて凸部に検知面と接触しながら撓み変形可能な弾性体シートを備えている。
【０００５】
トナー濃度検知センサーは、現像装置の外側に固定してあり、現像剤に対して非接触式のトナー濃度検知センサーを用いて、現像装置内の現像剤のトナー濃度を読みとる。トナー濃度検知センサーはコイルとコンデンサーとを組み合わせたもので、現像剤中のキャリアの透磁率を読み取る。現像装置内のトナー濃度を精度よく検知するためには、トナー濃度検知センサー位置に存在する現像剤は、常に一定量である必要がある。
【０００６】
しかし、スクリュー羽根によって押される力が現像剤に作用するため、搬送スクリューの回転速度を高速にした場合に、この現像剤への搬送力は大きくなる。スクリュー羽根が連続であると、トナー濃度検知センサーに対向した位置の現像剤はそのまま搬送され、一定量の現像剤が存在せず、トナー濃度を精度よく検知すことが困難になる。
【０００７】
一方、現像剤を少量にすると、トナー濃度検知センサー位置の現像剤量も減少するため、疎な空間が大きくなり、検知誤差が生じやすい。
【０００８】
この発明は、上記課題を解決することを目的とし、現像装置内の現像剤のトナー濃度を精度よく検知することを可能とする構成を備える、現像装置および画像形成装置を提供することにある。
【課題を解決するための手段】
【０００９】
この現像装置においては、トナーを含む現像剤が収容された筐体および上記筐体内に配置されたスクリューを備える現像装置であって、上記スクリューは、回転軸と、上記回転軸の周りに螺旋状に配置され、上記回転軸が回転することにより上記トナーを上流側から下流側に搬送するスクリュー羽根と、を含み、上記スクリュー羽根は、非連続領域を有し、上記非連続領域の上記回転軸の表面には、上記回転軸の軸方向に沿って、上記回転軸の半径方向に延びるパドルが設けら、上記パドルの半径方向の先端部側には、凹凸部が設けられている。
【００１０】
他の形態においては、上記スクリューは、上記筐体内に配置された撹拌スクリューおよび上記撹拌スクリューに並列に配置され、上記撹拌スクリューによって搬送された上記現像剤を受け取る供給スクリューを含み、上記撹拌スクリューに、上記非連続領域および上記パドルが設けられている。
【００１１】
他の形態においては、上記非連続領域および上記パドルは、下流側に設けられた上記トナーの受け取り領域に設けられている。
【００１２】
他の形態においては、上記パドルは、上記筐体の内壁面に対して非接触となるように配置されている。
【００１３】
他の形態においては、上記非連続領域から見て上流側に位置する上記スクリュー羽根と上記パドルとの間に隙間が設けられている。
【００１４】
他の形態においては、上記非連続領域から見て下流側に位置する上記スクリュー羽根と上記パドルとの間に隙間が設けられている。
【００１５】
他の形態においては、上記筐体の上記現像剤中の上記トナーの濃度を検知するトナー濃度検知センサーをさらに含み、上記トナー濃度検知センサーはセンサーコイルを含み、上記非連続領域の流さは、上記センサーコイルの長さよりも長く設けられている。
【００１６】
他の形態においては、上記非連続領域の中心よりも上記トナー濃度検知センサーが上流側にある場合、上記非連続領域から見て上流側の上記スクリュー羽根と上記パドルとの隙間は、下流側の上記スクリュー羽根と上記パドルとの隙間よりも広く設けられている。
【００１７】
他の形態においては、上記非連続領域の中心よりも上記トナー濃度検知センサーが下流側にある場合、上記非連続領域から見て下流側の上記スクリュー羽根と上記パドルとの隙間は、上流側の上記スクリュー羽根と上記パドルとの隙間よりも広く設けられている。
【００１８】
他の形態においては、上記トナー濃度検知センサーの中心と上記パドルの上記凹部の中心とが重なるように配置されている。
【００１９】
他の形態においては、上記パドルの上記凹部の底部は、上記現像剤の液面高さよりも上記筐体側に位置している。
【００２０】
他の形態においては、上記パドルの半径方向の先端部側には、複数の上記凹凸部が設けられている。
【００２１】
他の形態においては、上記パドルは、上記非連続領域の上記回転軸の表面に、複数設けられている置。
【００２２】
この画像形成装置においては、感光体ドラムの上に形成された静電画像をトナー画像に現像する現像装置と、上記感光体ドラムの形成されたトナー画像を中間転写体に転写する一次転写部と、上記中間転写体に転写されたトナー画像を記録媒体に転写する二次転写部と、を備える画像形成装置であって、上記現像装置は、上述に記載のいずれかの現像装置である。
【発明の効果】
【００２３】
この現像装置および画像形成装置によれば、現像装置内の現像剤のトナー濃度を精度よく検知することを可能とする。
【図面の簡単な説明】
【００２４】
【図１】実施の形態の画像形成装置の概略構成を示す図である。
【図２】実施の形態の現像装置の概略構成を示す図である。
【図３】実施の形態の現像装置において循環時間を説明するための模式図である。
【図４】実施の形態の撹拌スクリューの具体的構成を示す部分拡大斜視図である。
【図５】実施の形態の現像ローラー、供給スクリュー、および、撹拌スクリューの配置関係を示す図である。
【図６】実施の形態の撹拌スクリュー、壁面Ｗ、および、トナー濃度検知センサーの配置関係を示す模式図である。
【図７】実施の形態のパドルとトナーの現像剤液面の高との関係を示す模式図である。
【図８】実施の形態の非連続領域におけるパドルによる現像剤の撹拌状態を示す図である。
【図９】実施の形態のスクリュー羽根とパドルとの隙間が上流側の方が大きい場合の模式図である。
【図１０】実施の形態のスクリュー羽根とパドルとの隙間が下流側の方が大きい場合の模式図である。
【図１１】実施の形態のパドルの他の形態を示す図である。
【図１２】実施の形態の非連続領域にパドルが１枚設けられた場合の模式図である。
【図１３】実施の形態の非連続領域にパドルが２枚設けられた場合の模式図である。
【発明を実施するための形態】
【００２５】
以下、図を参照しながら、各実施の形態における画像形成装置について説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。図面においては、実際の寸法の比率に従って図示しておらず、構造の理解を容易にするために、構造が明確となるように比率を変更して図示している箇所がある。
【００２６】
画像形成装置は、スキャナー機能、複写機能、プリンタとしての機能、ファクシミリ機能、データ通信機能、およびサーバ機能を備えたＭＦＰ、ファクシミリ装置、または複写機を含む。
【００２７】
（画像形成装置）
以下、図１を参照して、本実施の形態の画像形成装置１について説明する。図１は、本実施の形態の画像形成装置１の概略構成を示す図である。
【００２８】
画像形成装置１は、公知の電子写真方式により記録媒体上に画像を形成するものである。画像形成装置１は、画像プロセス部１０と、転写部２０と、給紙部３０と、定着部４０と、制御部４５とを備える。画像形成装置１は、ネットワーク（例えばＬＡＮ）を介して外部の端末装置（不図示）から受け付けたプリントジョブに基づき、カラーおよびモノクロのプリントを選択的に実行する。
【００２９】
画像プロセス部１０は、イエロー（Ｙ）、マゼンタ（Ｍ）、シアン（Ｃ）およびブラック（Ｋ）の現像色に対応した作像ユニット１０Ｙ、１０Ｍ、１０Ｃ、１０Ｋを有する。作像ユニット１０Ｙは、静電潜像担体である感光体ドラム１１と、その周囲に配された帯電器１２、露光部１３、現像装置１４、一次転写ローラー１５、クリーナー１６などを備えている。帯電器１２は、矢印Ａで示す方向に回転する感光体ドラム１１の周面を帯電させる。
【００３０】
露光部１３は、帯電された感光体ドラム１１をレーザー光により露光走査して、感光体ドラム１１上に静電潜像を形成する。現像装置１４は、内部にトナーを含む現像剤が収容され、感光体ドラム１１上の静電潜像をトナーで現像し、これにより感光体ドラム１１上にＹ色のトナー画像が作像される。すなわち、これにより静電潜像担体にトナー画像が担持される。
【００３１】
一次転写ローラー１５は、感光体ドラム１１上のＹ色トナー画像を中間転写体２１上に静電作用により転写させる。すなわち、上記のトナー画像が中間転写体に一次転写される。クリーナー１６は、転写後に感光体ドラム１１上に残った残留トナーを清掃する。他の作像ユニット１０Ｍ、１０Ｃ、１０Ｋについても作像ユニット１０Ｙと同様の構成であり、同図では符号が省略されている。転写部２０は、駆動ローラー２４と従動ローラー２５とに張架されて矢印方向に循環走行される中間転写体２１を備える。
【００３２】
カラーのプリント（カラーモード）を実行する場合には、作像ユニット１０Ｍ、１０Ｃ、１０Ｋ毎に、対応する色のトナーが感光体ドラム１１上に作像され、その作像されたトナー画像それぞれが中間転写体２１上に転写される。このＹ〜Ｋの各色の作像動作は、各色のトナー画像が、走行する中間転写体２１の同じ位置に重ね合わせて転写されるように上流側から下流側に向けてタイミングをずらして実行される。
【００３３】
給紙部３０は、上記の作像タイミングに合わせて、給紙カセットから記録媒体であるシートＳを１枚ずつ繰り出して、繰り出されたシートＳを搬送路３１上を二次転写ローラー２２に向けて搬送する。二次転写ローラー２２に搬送されたシートＳが二次転写ローラー２２と中間転写体２１の間を通過する際に、中間転写体２１の上に形成された各色トナー画像が二次転写ローラー２２の静電作用によりシートＳに一括して二次転写される。すなわち、該トナー画像が、該中間転写体から記録媒体へ二次転写されることになる。
【００３４】
各色トナー画像が二次転写された後のシートＳは、定着部４０まで搬送され、定着部４０において加熱、加圧されることにより、その表面のトナーがシートＳの表面に融着して定着された後、排紙ローラー３２によって排紙トレイ３３上に排出される。このようにして、記録媒体上にトナー画像に対応した画像が形成される。
【００３５】
上記では、カラーモードを実行する場合の動作を説明したが、モノクロ、例えばブラック色のプリント（モノクロモード）を実行する場合には、ブラック色用の作像ユニット１０Ｋだけが駆動され、上記と同様の動作によりブラック色に対する帯電、露光、現像、転写、定着の各工程を経てシートＳにブラック色の画像形成（プリント）が実行される。
【００３６】
中間転写体２１上の、シートＳに転写しきれなかったトナーやトナーパターンは、中間転写体２１を挟んで従動ローラー２５に対向する位置に配されたクリーニングブレード２６により除去される。作像ユニット１０Ｋの、中間転写体２１走行方向の下流側には、例えば、反射型の光電センサーからなる濃度検知センサー２３が配されており、中間転写体２１に形成されたトナーパターンの濃度を検知する。
【００３７】
制御部４５は、たとえば、ネットワークを介して外部の端末装置から受け付けたプリントジョブのデータに基づき各部を制御して円滑なプリント動作を実行させる。画像形成装置１の装置本体の正面側かつ上側であり、ユーザの操作し易い位置に、操作パネル３５が配置されている。操作パネル３５は、ユーザからの各種指示を受け付けるボタンやタッチパネル式の液晶表示部などを備えており、当該受け付けた指示内容を制御部４５に伝えることができる。
【００３８】
このような画像形成装置としては、たとえば複写機、プリンタ、デジタル印刷機、簡易印刷機等の電子写真方式の画像形成装置を挙げることができ、乾式または湿式のいずれであっても良いが乾式の画像形成装置とすることが特に有効である。
【００３９】
（現像装置１４）
図２および図３を参照して、現像装置１４について説明する。図２は、現像装置１４の概略構成を示す図、図３は、現像ローラー１７、供給スクリュー１８、および、撹拌スクリュー１９の配置関係を示す図である。
【００４０】
現像装置１４は、感光体ドラム１１に対応して設けられ、感光体ドラム１１の表面に対向して配置される。現像装置１４は、帯電バイアスが印加されることにより、感光体ドラム１１にトナーを供給する。現像装置１４は、感光体ドラム１１に形成された静電潜像に所定の色のトナーを付着させて、トナー画像を感光体ドラム１１の表面に形成する。
【００４１】
現像装置１４は、感光体ドラム１１の表面に対向配置された現像ローラー１７、供給スクリュー１８、および、撹拌スクリュー１９を有している。トナーカートリッジ５は、現像装置１４に対応して設けられており、現像装置１４に対して供給されるトナーを収容する。現像ローラー１７、供給スクリュー１８、および、撹拌スクリュー１９は、筐体（壁面Ｗ）の内部に収容されている。
【００４２】
トナー供給部６は、トナーカートリッジ５および現像装置１４に対応して設けられており、トナーカートリッジ５に収容されたトナーを現像装置１４に対して供給する。トナー供給部６と現像装置１４とは、不図示のトナー供給路により結ばれている。
【００４３】
現像装置１４は、上述した構成要素に加えて、帯電バイアス印加部１００を備える。帯電バイアス印加部１００は、制御部４５からの命令を実行する。帯電バイアス印加部１００は、所定の帯電バイアスを現像装置１４に印加する。具体的には、帯電バイアス印加部１００は、所定の帯電バイアスを現像ローラー１７に印加する。帯電バイアス印加部１００は、制御部４５の制御に基づいて、帯電バイアスを調整する。帯電バイアスは、直流バイアスに交流バイアスを重畳させたバイアスである。
【００４４】
図３を参照して、トナーカートリッジ５から供給される補給トナーは、まず、撹拌スクリュー１９の一端側（図示右側）に投入される。投入されたトナーは、撹拌スクリュー１９によって他端側（図示左側）に送られながら、既存の現像剤に撹拌される。
【００４５】
撹拌スクリュー１９の他端に到達したトナーは、供給スクリュー１８の一端側に移動する。供給スクリュー１８の一端側に到達した現像剤は、供給スクリュー１８から現像ローラーに受け渡されながら、供給スクリュー１８の他端側に移動する。その後、残った現像剤は、再び、撹拌スクリュー１９の一端側に戻される。このように、撹拌スクリュー１９の一端側に投入されたトナーが、現像装置１４の撹拌スクリュー１９および供給スクリュー１８が配置された循環通路内を一循する。
【００４６】
（撹拌スクリュー１９の具体的構成）
図４を参照して、本実施の形態における撹拌スクリュー１９の具体的構成について説明する。図４は、撹拌スクリュー１９の具体的構成を示す部分拡大斜視図である。
【００４７】
撹拌スクリュー１９は、回転軸１９ａと、この回転軸１９ａに螺旋状に設けられたスクリュー羽根１９ｂとを備える。
【００４８】
トナー濃度検知センサー５０が対向する位置のスクリュー羽根１９ｂにおいては、スクリュー羽根１９ｂを有さない長さＬ１の非連続領域１９ｄが設けられている。さらに、非連続領域１９ｄの回転軸１９ａの表面には、回転軸１９ａの軸方向に沿って、回転軸１９ａの半径方向に延びるパドル６０が、１８０度対向する位置に２枚設けられている。パドル６０の先端部側には、３カ所の凸部６１および２カ所の凹部６２が設けられ、パドル６０としては、全体として櫛歯形状を有する。パドル６０の数量は、適宜変更が可能である。
【００４９】
さらに、対向配置されたパドル６０は、凹部６２の位相がずれるように配置されている。具体的には、１箇所の凹部６２が対向する位置に配置され、他の凹部６２は対向しないように配置されている。一方のパドル６０（図示の上側）においては、上流側のスクリュー羽根１９ｂとの間に大きく隙間Ｓが設けられ、他方のパドル６０（図示の下側）においては、下流側のスクリュー羽根１９ｂとの間に大きく隙間Ｓが設けられている。
【００５０】
このように、本実施の形態の撹拌スクリュー１９においては、トナー濃度検知センサー５０の対向するスクリュー羽根１９ｂを非連続にし、非連続部に櫛歯形状のパドル６０を配置する。スクリュー羽根１９ｂの上流側先端（非連続部の上流側）とパドル６０には隙間を設け、同様に、スクリュー羽根１９ｂの下流側先端（非連続部の下流側）とパドル６０にも隙間を設ける。
【００５１】
この構成により、高速かつ現像剤の量を減量化した場合であっても、スクリュー羽根１９ｂの非連続領域１９ｄに現像剤が溜まる。溜まった現像剤は櫛歯形状のパドル６０によってパドル６０の通過前後で現像剤の粗密差が解消され、一定量の現像剤の密度が保たれることになる。
【００５２】
さらに、スクリュー羽根１９ｂとパドル６０との間にも隙間を設けることで、より効果的に、現像剤の粗密差を解消することが可能となる。搬送速度を高速にした場合でも、非連続領域１９ｄのスクリュー羽根１９ｂの先端とパドル６０との間においては搬送力が無くなり、トナー濃度検知センサー５０が対向する位置に現像剤を溜まり易くすることができる。
【００５３】
＜非連続領域１９ｄ／トナー濃度検知センサー５０の配置位置＞
図５および図６を参照して、上記構成有する撹拌スクリュー１９を採用した場合の非連続領域１９ｄおよびトナー濃度検知センサー５０の好ましい配置位置について説明する。図５は、現像ローラー１７、供給スクリュー１８、および、撹拌スクリュー１９の配置関係を示す図、図６は、撹拌スクリュー１９、壁面Ｗ、および、トナー濃度検知センサー５０の配置関係を示す模式図である。図中の白抜き矢印は、トナーの移動方向を示し、「×」印部は、トナー濃度検知センサー５０の配置位置を示す。
【００５４】
撹拌スクリュー１９に補給されたトナーは、撹拌スクリュー１９によって撹拌され、供給スクリュー１８へと搬送される。供給スクリュー１８へ搬送されたトナーは、キャリアと共に現像ローラー１７へ搬送される。
【００５５】
図６を参照して、非連続領域１９ｄは供給スクリュー１８へ搬送される直前（現像剤の受け取り領域）の、撹拌スクリュー１９の下流側の位置に設けることが好ましく、トナー濃度検知センサー５０は、その撹拌スクリュー１９の下流側の位置に対向した壁面Ｗの外側に設けておくと良い。
【００５６】
補給されたトナーが撹拌スクリュー１９によって撹拌され、スクリュー羽根１９ｂの非連続領域１９ｄに現像剤が溜まる。この対向位置に、トナー濃度検知センサー５０を配置することで、供給スクリュー１８への搬送直前のトナー濃度を精度よく安定して測定ができる。仮に供給スクリュー１８に本構成を設けた場合、供給スクリュー１８に非連続領域が存在するため、現像剤の液面高さが変化し、画像不良が発生してしまう。
【００５７】
＜非連続領域１９ｄの長さ（Ｌ１）とトナー濃度検知センサー５０の長さ＞
図７を参照して、非連続領域１９ｄの長さ（Ｌ１）とトナー濃度検知センサー５０の長さについて説明する。図７は、パドル６０とトナーの現像剤液面の高さ（ＷＬ）との関係を示す模式図である。
【００５８】
トナー濃度検知センサー５０の長さ（Ｌ２）よりも非連続領域１９ｄの長さ（Ｌ１）を長くすることで、現像剤の密度が一定の領域が広がるため、トナー濃度検知センサー５０による検知精度を向上させることができる。ここで、トナー濃度検知センサー５０の長さ（Ｌ２）は、トナー濃度検知センサー５０が有するセンサーコイルの長さを意味する。
【００５９】
＜位置関係＞
パドル６０の凸部６１と壁面Ｗとの位置関係については、パドル６０の凸部６１は、筐体の壁面Ｗの内側に対して非接触であるとよい。壁面Ｗと接触してしまうと、トナーがパドル６０によって内壁面にこすられ、トナー成分がキャリアに移行して帯電不良を引き起こすスペントと呼ばれる現象が生じてしまうからである。
【００６０】
パドル６０とトナー濃度検知センサー５０の内部に設けられるコイルとの位置関係については、図７に示すように、トナー濃度検知センサー５０の中心（図中「×」印）とパドル６０の凹部６２の中心とが重なる（同一線ＣＬ上に位置する）ように配置するとよい。凹部６２に現像剤が溜まっており、密度が一定であるために検知精度を向上させることができる。
【００６１】
＜パドル６０の凹部６２と現像剤の液面高さとの位置関係＞
パドル６０の凹部６２の底部６２ｂは、現像剤の液面の高さ（ＷＬ）よりも筐体の内側の壁面Ｗ側に配置するのがよい。ここで、現像剤の液面の高さ（ＷＬ）とは、現像装置の筐体の壁面Ｗからの現像剤の高さのことである。
【００６２】
図８を参照して、現像剤の撹拌状態について説明する。図８は、非連続領域１９ｄにおけるパドル６０による現像剤の撹拌状態を示す図である。図８に示すように、非連続領域１９ｄには、底面に存在し動かない現像剤Ｔ２と、パドル６０の凹部６２によって押されて動く現像剤Ｔ１とが存在するため、現像剤には速度差が生じる。速度差が生じることで、より現像剤は撹拌されるため、補給されたトナーが上滑りすることなく、搬送され、精度よくトナー濃度の検知が可能となる。
【００６３】
（スクリュー羽根１９ｂとパドル６０との隙間（Ｓ）の大小関係＞
図９および図１０を参照して、スクリュー羽根１９ｂとパドル６０との隙間（Ｓ）の大小関係について説明する。図９は、スクリュー羽根１９ｂとパドル６０との隙間（Ｓ）が上流側の方が大きい場合の模式図、図１０は、スクリュー羽根１９ｂとパドル６０との隙間（Ｓ）が下流側の方が大きい場合の模式図である。
【００６４】
図９を参照して、非連続領域１９ｄの中心（ＣＬ２）よりもトナー濃度検知センサー５０が上流側に配置されている場合には、上流側のスクリュー羽根１９ｂとパドル６０との隙間（Ｓ１）を、下流側のスクリュー羽根１９ｂとパドル６０との隙間（Ｓ２）よりも広くするとよい（Ｓ１＞Ｓ２）。溜まっている現像剤量が多いほど、現像剤の密度が一定に保たれているため、トナー濃度検知センサー５０による検知精度を向上させることができる。
【００６５】
図１０を参照して、非連続領域１９ｄの中心（ＣＬ２）よりもトナー濃度検知センサー５０が下流側に配置されている場合には、下流側のスクリュー羽根１９ｂとパドル６０との隙間（Ｓ２）を、上流側のスクリュー羽根１９ｂとパドル６０との隙間（Ｓ１）よりも広くするとよい（Ｓ１＜Ｓ２）。溜まっている現像剤量が多いほど、現像剤の密度が一定に保たれているため、トナー濃度検知センサー５０による検知精度を向上させることができる。
【００６６】
（パドル６０に設ける凸部６１の数量）
図１１を参照して、パドル６０に設ける凸部６１の数量について説明する。図１１は、パドル６０の他の形態を示す図である。
【００６７】
上述のパドル６０においては、凸部６１を３つ、凹部６２を２つ設けた構成を示している。パドル６０の凸部によって現像剤が押され、非連続領域１９ｄでは現像剤の速度差が生じ撹拌される。そのため、凸部を複数もつことで、非連続領域１９ｄに溜まった現像剤の撹拌性が向上し、検知精度が向上する。したがって、図１１に示すように、凸部６１を４つ、凹部６２を３つ設けた構成を採用しても良いし、それ以上の数量の凸部６１および凹部６２を有するパドル６０を採用してもよい。
【００６８】
（パドル６０の枚数）
図１２および図１３を参照して、撹拌スクリュー１９の非連続領域１９ｄに設けられるパドル６０の枚数について検討する。図１２は、非連続領域１９ｄにパドル６０が１枚設けられた場合の模式図、図１３は、非連続領域１９ｄにパドル６０が２枚設けられた場合の模式図である。
【００６９】
図４に示した撹拌スクリュー１９は、非連続領域１９ｄにおいては、回転軸１９ａの軸方向に沿って、回転軸１９ａの半径方向に延びるパドル６０が、１８０度対向する位置に２枚設けられている。ここで、図１２を参照して、非連続領域１９ｄにパドル６０が１枚設けられた場合には、凹部６２を通過した現像剤はパドル６０の通過前後で粗密差は無くなる。しかし、パドルの凸部６１によって押された部分は現像剤が密な状態であるため、パドル通過前後で粗密差が残る。
【００７０】
図１３に示すように、パドル６０を２枚設けることで、非連続領域１９ｄに存在する現像剤は、撹拌され易くなり、現像剤の粗密差を解消し、現像剤の密度を一定にすることができる。その結果、トナー濃度検知センサー５０にるトナー濃度の検知精度も向上させることができる。なお、本実施の形態では、パドル６０を２枚設ける場合について説明したが、３以上の複数枚を設けるようにしてもよい。その場合には、図４において説明したように、各パドル６０の凹凸の位相をずらすように配置することで、非連続領域１９ｄに存在する現像剤は、より撹拌され易くなる。
【００７１】
以上、本発明の各実施の形態について説明したが、今回開示された各実施の形態はすべての点で例示であって制限的なものではない。本発明の範囲は特許請求の範囲によって示され、特許請求の範囲と均等の意味および範囲内でのすべての変更が含まれる。
【符号の説明】
【００７２】
１  画像形成装置、５  トナーカートリッジ、６  トナー供給部、１０  画像プロセス部、１０Ｋ，１０Ｍ，１０Ｙ  作像ユニット、１１  感光体ドラム、１２  帯電器、１３  露光部、１４  現像装置、１５  一次転写ローラー、１６  クリーナー、１７  現像ローラー、１８  供給スクリュー、１９  撹拌スクリュー、１９ａ  回転軸、１９ｂ  スクリュー羽根、１９ｄ  非連続領域、２０  転写部、２１  中間転写体、２２  二次転写ローラー、２３  濃度検知センサー、２４  駆動ローラー、２５  従動ローラー、２６  クリーニングブレード、３０  給紙部、３１  搬送路、３２  排紙ローラー、３３  排紙トレイ、３５  操作パネル、４０  定着部、４５  制御部、５０  トナー濃度検知センサー、６０  パドル、６１  凸部、６２  凹部、６２ｂ  底部、１００  帯電バイアス印加部。
【図１】
2019197159.tif 000003
【図２】
2019197159.tif 000004
【図３】
2019197159.tif 000005
【図４】
2019197159.tif 000006
【図５】
2019197159.tif 000007
【図６】
2019197159.tif 000008
【図７】
2019197159.tif 000009
【図８】
2019197159.tif 000010
【図９】
2019197159.tif 000011
【図１０】
2019197159.tif 000012
【図１１】
2019197159.tif 000013
【図１２】
2019197159.tif 000014
【図１３】
2019197159.tif 000015